(57)【要約】【課題】外力を作用させることなく装着部位へ簡単に装着することができるとともに、製作コストの低減を図ることができるフレキシブル基板、フレキシブル基板の装着方法、および装着対象物を提供する。【解決手段】フレキシブル基板４を、外力が作用しない自然状態で補強板１２の形状に倣う形状に形成することで、このフレキシブル基板４を、自然状態から変位させることなく、換言すれば外力を作用させることなく補強板１２に沿って装着する。【選択図】      図１
2005005610.tif 000002
【特許請求の範囲】
【請求項１】
装着部位に装着されるフレキシブル基板であって、
外力が作用しない自然状態で、装着部位の形状に倣う形状に形成されていることを特徴とするフレキシブル基板。
【請求項２】
フレキシブル基板を装着部位に装着する方法であって、
フレキシブル基板を装着部位に倣う形状に塑性変形する第１工程と、
フレキシブル基板を前記装着部位に倣って配置し装着する第２工程とを有することを特徴とするフレキシブル基板の装着方法。
【請求項３】
フレキシブル基板の一部を装着する基体と、
フレキシブル基板に外力が作用しない自然状態で、フレキシブル基板が配置されるべき配置空間が形成され、その配置空間に配置されるフレキシブル基板の少なくとも一側縁部を、前記基体と反対側から係止する係止手段とを有することを特徴とする装着対象物。
【請求項４】
前記フレキシブル基板の一部を、基体の配置位置に位置決めする位置決め手段をさらに有することを特徴とする請求項３記載の装着対象物。
【発明の詳細な説明】
【０００１】
【発明の属する技術分野】
本発明は、フレキシブル基板、フレキシブル基板の装着方法、および装着対象物に関し、たとえば光ピックアップ装置に適用されるフレキシブル基板、フレキシブル基板の装着方法、および装着対象物に関する。
【０００２】
本発明において、「装着」は、フレキシブル基板を本固定するのに先だって行う仮固定および、フレキシブル基板の本固定を含む。
【０００３】
【従来の技術】
従来、コンパクトディスク（略称ＣＤ：Ｃｏｍｐａｃｔ  Ｄｉｓｋ）およびデジタルバーサタイルディスク（略称ＤＶＤ：Ｄｉｇｉｔａｌ  Ｖｅｒｓａｔｉｌｅ  Ｄｉｓｋ）などの記録媒体に対する情報の記録、再生、消去を行う光ピックアップ装置が実用に供されている。光ピックアップ装置は、たとえば記録媒体に光を発する光源、コリメートレンズ、立ち上げミラー、対物レンズ、対物レンズ駆動機構、およびフレキシブル基板を備えている。光ピックアップ装置は、これら複数の構成部品を固定するシャーシをさらに備えている。
【０００４】
フレキシブル基板をシャーシに本固定するのに先だって仮固定する際、両面テープによって貼り付ける技術、またはフレキシブル基板自体を撓ませてシャーシの溝部に嵌め込む技術（特許文献１）が用いられている。
【０００５】
【特許文献１】
実開平７−３２９８３号公報
【０００６】
【発明が解決しようとする課題】
前記両面テープによってフレキシブル基板をシャーシに仮固定する技術では、フレキシブル基板の位置が、シャーシの所定位置に定まり難く、作業性が悪いという問題がある。つまりフレキシブル基板が両面テープに一旦貼り付くと、シャーシに対するフレキシブル基板の相対位置を修正しようとする場合に、フレキシブル基板を両面テープから剥がす必要がある。しかも前記技術では、両面テープを用いる分製作コストが高くなる。
【０００７】
特許文献１に記載の技術では、フレキシブル基板自体を撓ませてシャーシの溝部に嵌め込むので、フレキシブル基板を撓ませたとき、フレキシブル基板に実装される実装部品に応力がかかる。それ故、前記実装部品周辺のハンダ割れなどの不具合の原因となる。
【０００８】
したがって本発明の目的は、外力を作用させることなく装着部位へ簡単に装着することができるとともに、製作コストの低減を図ることができるフレキシブル基板、フレキシブル基板の装着方法、および装着対象物を提供することである。
【０００９】
【課題を解決するための手段】
請求項１記載の本発明は、装着部位に装着されるフレキシブル基板であって、
外力が作用しない自然状態で、装着部位の形状に倣う形状に形成されていることを特徴とするフレキシブル基板である。
【００１０】
本発明に従えば、フレキシブル基板は、外力が作用しない自然状態で装着部位の形状に倣う形状に形成されているので、フレキシブル基板を、自然状態から変位させることなく、換言すれば外力を作用させることなく装着部位に沿って装着することができる。したがってフレキシブル基板が、装着部位から離反する方向へ不所望に変位することを確実に防止することが可能となる。
【００１１】
またフレキシブル基板に外力を作用させなくてもこのフレキシブル基板を装着できるので、前記フレキシブル基板に実装される部品に応力がかからなくなる。しかも締結部品および両面テープなどの粘着性のあるものを用いる従来技術と比べて、フレキシブル基板を簡単に装着部位に装着することができる。また締結部品および両面テープが不要となるので、製作コストの低減を図ることができる。
【００１２】
請求項２記載の本発明は、フレキシブル基板を装着部位に装着する方法であって、
フレキシブル基板を装着部位に倣う形状に塑性変形する第１工程と、
フレキシブル基板を前記装着部位に倣って配置し装着する第２工程とを有することを特徴とするフレキシブル基板の装着方法である。
【００１３】
本発明に従えば、第１工程において、フレキシブル基板を装着部位に倣う形状に塑性変形する。第２工程において、フレキシブル基板を装着部位に倣って配置し装着する。特に第１工程でフレキシブル基板を装着部位に倣う形状に塑性変形しているので、第２工程でフレキシブル基板を装着するとき、フレキシブル基板に外力を作用させることなく装着部位に沿って装着することができる。したがってフレキシブル基板が、装着部位から離反する方向へ不所望に変位することを確実に防止することが可能となる。
【００１４】
またフレキシブル基板に外力を作用させなくてもこのフレキシブル基板を装着できるので、前記フレキシブル基板に実装される部品に応力がかからなくなる。しかも締結部品および両面テープなどの粘着性のあるものを用いる従来技術と比べて、フレキシブル基板を簡単に装着部位に装着することができる。また締結部品および両面テープが不要となるので、製作コストの低減を図ることができる。
【００１５】
請求項３記載の本発明は、フレキシブル基板の一部を装着する基体と、
フレキシブル基板に外力が作用しない自然状態で、フレキシブル基板が配置されるべき配置空間が形成され、その配置空間に配置されるフレキシブル基板の少なくとも一側縁部を、前記基体と反対側から係止する係止手段とを有することを特徴とする装着対象物である。
【００１６】
本発明に従えば、フレキシブル基板の一部を基体に装着し、フレキシブル基板に外力が作用しない自然状態で、配置空間に配置されるフレキシブル基板の少なくとも一側縁部を、係止手段によって基体と反対側から係止する。したがってフレキシブル基板が、基体から離反する方向へ不所望に変位することを防止できるとともに、フレキシブル基板を装着する作業能率を向上することができる。またフレキシブル基板は、外力が作用しない自然状態で配置空間に配置されるので、前記フレキシブル基板に実装される部品に応力がかからなくなる。
【００１７】
請求項４記載の本発明は、前記フレキシブル基板の一部を、基体の配置位置に位置決めする位置決め手段をさらに有することを特徴とする。
【００１８】
本発明に従えば、位置決め手段によって、フレキシブル基板の一部を、基体の配置位置に正確に位置決めすることができる。したがってたとえば小スペースでの回路部品およびランド部の他部品との干渉防止を図ることができる。
【００１９】
【発明の実施の形態】
図１は、本発明の実施形態に係るフレキシブル基板およびシャーシの斜視図である。図２および図３は、フレキシブル基板およびシャーシの要部の拡大斜視図である。本実施の形態は、たとえばコンパクトディスクまたはデジタルバーサタイルディスクなどの記録媒体に対する情報の記録、再生、消去を行う光ピックアップ装置に本発明を適用した場合の一例を示す。
【００２０】
光ピックアップ装置１は、主に、シャーシ２と、光源と、光学部品と、アクチュエータと、集積回路３と、フレキシブル基板４と、押さえばねとを有する。光源は、たとえばコンパクトディスク（略称ＣＤ：Ｃｏｍｐａｃｔ  Ｄｉｓｃ）用またはデジタルバーサタイルディスク（略称ＤＶＤ：Ｄｉｇｉｔａｌ  Ｖｅｒｓａｔｉｌｅ  Ｄｉｓｋ）用受発光素子を有する。この受発光素子および集積回路３は、フレキシブル基板４に実装される。換言すれば、フレキシブル基板４は、光源である受発光素子と、たとえば光源を駆動制御するための集積回路３とに電気的に接続されている。さらに受発光素子は、シャーシ２の所定位置に固定される。
【００２１】
装着対象物としてのシャーシ２には、光学部品およびアクチュエータが搭載されている。光学部品は、たとえば図示外のコリメートレンズと、立上げミラーと、対物レンズとを備え、これら光学部品は、受発光素子と記録媒体との間の光軸上に配置されている。前記対物レンズは、記録媒体に臨んで電力によって稼動するアクチュエータによって駆動制御されるように構成され、対物レンズの位置が調整されるようになっている。
【００２２】
図４は、塑性変形する前のフレキシブル基板をその厚み方向一方に見た平面図である。図５は、フレキシブル基板の装着方法を段階的に示すフローチャートである。特に、シャーシ２の装着部位に仮固定されるフレキシブル基板４は、外力が作用しない自然状態で、シャーシ２の装着部位の形状に倣う形状に形成されている。
【００２３】
具体的にフレキシブル基板４をシャーシ２に仮固定する場合、図５に示すように本フローをスタート（ステップｓ０）させた後、ステップｓ１に移行する。このステップｓ１において、フレキシブル基板４を、たとえば手指を使って装着部位の形状に倣う形状（後述する）に塑性変形する。その後ステップｓ２に移行し、フレキシブル基板４を、前記装着部位に倣って配置し仮固定する。これによってフレキシブル基板４の装着部位への仮固定が終了する（ステップｓ３）。その後フレキシブル基板４は、前記押さえばねなどによってシャーシ２に本固定される。
【００２４】
図６は、シャーシを厚み方向一方に見た平面図である。図７は、図６のＡ−Ａ線端面図である。図８は、図６のＢ−Ｂ線端面図である。図９は、図６のＣ−Ｃ線端面図である。図１０は、図６のＤ−Ｄ線端面図である。図１〜図４も参照しつつ説明する。
【００２５】
シャーシ２は、たとえば金型によって一体成形される。シャーシ２の長手方向一端部には、一対のホルダ５が付設され、シャーシ２の長手方向他端部には、ガイド部６が付設されている。これら一対のホルダ５およびガイド部６によって、シャーシ２は、図示外の記録媒体に対し、前記長手方向およびシャーシ２の厚み方向に垂直な方向に沿って移動可能に構成されている。前記長手方向をｘ方向、前記厚み方向をｚ方向、ｘおよびｚ方向に垂直な方向をｙ方向と定義する。
【００２６】
シャーシ２の記録媒体に臨む一表面部付近において、ｘ方向一端側には、フレキシブル基板４の第１領域部分４ａが配置されるべき第１の配置空間７が形成される。この第１の配置空間７には、フレキシブル基板４に外力が作用しない自然状態で、フレキシブル基板４の第１領域部分４ａが配置される。シャーシ２のｘ方向一端部には、係止手段としての第１係止片８，９が形成されている。第１係止片８，９は、基体としての前記一表面部から矢符ｚ１にて示すｚ方向一方（図１参照）に所定小距離突出し、さらにこの突出した突出部分からｘ方向一方に小距離突出するように形成されている。
【００２７】
したがって各第１係止片８（９）のうち前記ｘ方向一方に小距離突出する係止部分８ａ（９ａ）と、前記一表面部との間にスリットＳＬ１が形成される。また二つの第１係止片８，９は、ｙ方向に離隔して配設される。前記第１の配置空間７に配置されるフレキシブル基板４の一側縁部４ｂを、二つの第１係止片８，９によって、シャーシ２の一表面部と反対側から係止するようになっている。
【００２８】
このようにフレキシブル基板４の一部である第１領域部分４ａを、シャーシ２の一表面部に仮固定し、フレキシブル基板４に外力が作用しない自然状態で、第１の配置空間７に配置されるフレキシブル基板４の第１領域部分４ａにおける一側縁部４ｂを、第１係止片８，９によって前記一表面部と反対側から係止する。したがってフレキシブル基板４が、一表面部から離反する方向へ不所望に変位することを防止できるとともに、フレキシブル基板４を仮固定する作業能率を向上することができる。
【００２９】
具体的には、本実施の形態によれば、従来の両面テープによってフレキシブル基板をシャーシに貼り付ける技術のように、シャーシに対するフレキシブル基板の相対位置を修正しようとする場合に、フレキシブル基板を両面テープから剥がす手間が不要となる。もちろん両面テープをシャーシに貼り付ける手間も不要となる。換言すれば、本実施の形態によれば、フレキシブル基板４をシャーシ２に仮固定した状態で、シャーシ２に対してフレキシブル基板４の相対位置を簡単に修正することができる。このようにフレキシブル基板４の変位を防止できるとともに、フレキシブル基板４を仮固定する作業能率を向上することができる。
【００３０】
またフレキシブル基板４は、外力が作用しない自然状態で第１の配置空間７に配置されるので、フレキシブル基板４に実装される部品、たとえば集積回路３などに応力がかからなくなる。それ故、このフレキシブル基板４に実装される部品にかかる応力に起因するはんだ割れなどの不具合を未然に防止することができる。
【００３１】
シャーシ２のｘ方向中間付近部には、位置決め手段としての一対の突起部１０が形成されている。各突起部１０は、前記一表面部からｚ方向一方に小距離突出するように形成されている。これら一対の突起部１０は、ｙ方向に離隔して配設される。外力が作用しない自然状態で第１の配置空間７に配置されるフレキシブル基板４の第１領域部分４ａには、一対の突起部１０に対応する位置に貫通孔１１が形成される。それ故、一対の突起部１０によって、フレキシブル基板４の一部を、シャーシ２の一表面部の配置位置に正確に位置決めすることができる。したがってたとえば小スペースでの回路部品およびランド部の他部品との干渉防止を図ることができる。
【００３２】
記録媒体に臨むシャーシ２のｘ方向一端側のうち、ｙ方向一端部には補強板１２が形成されている。装着部位としての補強板１２は、前記一表面部からｚ方向一方にやや突出するように形成されている。この補強板１２によって、シャーシ２の剛性強度を向上させている。
【００３３】
後述するフレキシブル基板４は、外力が作用しない自然状態で、前述の補強板１２の形状に倣う形状に形成されている。具体的には、特に図２に示すようにフレキシブル基板４を仮固定する前に、フレキシブル基板４を、手指を使って補強板１２の形状に倣う形状に塑性変形している。本実施の形態においては、フレキシブル基板４を手指だけを使って塑性変形しているが、塑性変形する手段は手指だけに限定されるものではない。たとえばフレキシブル基板４を機械的な挟持手段を用いて塑性変形してもよい。この場合にも本実施の形態と同様の効果を奏する。
【００３４】
シャーシ２の一表面部に隣接する一側面部１３であって、たとえば記録媒体を回転させる図示外のスピンドルモータに臨む一側面部付近において、フレキシブル基板４の第２領域部分４ｃが配置されるべき第２の配置空間１４が形成される。この第２の配置空間１４には、フレキシブル基板４に外力が作用しない自然状態で、フレキシブル基板４の第２領域部分４ｃが配置される。
【００３５】
シャーシ２の前記一側面部１３には、係止手段としての第２係止片１５，１６が形成されている。第２係止片１５，１６は、基体としての前記一側面部１３からｙ方向一方にやや突出し、さらにこの突出した突出部分から矢符ｚ２（図３参照）にして表すｚ方向他方に小距離突出するように形成されている。しかも、これら第２係止片１５，１６は、ｘ方向一方および他方に離隔して配設される。
【００３６】
したがって各第２係止片１５（１６）のうち前記ｚ方向他方に小距離突出する係止部分と、前記一側面部１３との間にスリットＳＬ２が形成される。前記第２の配置空間１４に配置されるフレキシブル基板４において、その第２領域部分４ｃの一側縁部４ｄを、二つの第２係止片１５，１６によって、シャーシ２の一側面部１３と反対側から係止するようになっている。
【００３７】
このようにフレキシブル基板４の一部である第２領域部分４ｃを、シャーシ２の一側面部１３に仮固定し、フレキシブル基板４に外力が作用しない自然状態で、第２の配置空間１４に配置されるフレキシブル基板４の第２領域部分４ｃにおける一側縁部４ｄを、第２係止片１５，１６によって前記一側面部１３と反対側から係止する。したがってフレキシブル基板４が、一側面部１３から離反する方向へ不所望に変位することを防止できるとともに、フレキシブル基板４を仮固定する作業能率を向上することができる。
【００３８】
具体的には、本実施の形態によれば、従来の両面テープによってフレキシブル基板をシャーシに貼り付ける技術のように、シャーシに対するフレキシブル基板の相対位置を修正しようとする場合に、フレキシブル基板を両面テープから剥がす手間が不要となる。換言すれば、本実施の形態によれば、フレキシブル基板４をシャーシ２に仮固定した状態で、シャーシ２に対してフレキシブル基板４の相対位置を簡単に修正することができる。このようにフレキシブル基板４の変位を防止できるとともに、フレキシブル基板４を仮固定する作業能率を向上することができる。
【００３９】
またフレキシブル基板４は、外力が作用しない自然状態で第２の配置空間１４に配置されるので、フレキシブル基板４に実装される部品に応力がかからなくなる。それ故、このフレキシブル基板４に実装される部品にかかる応力に起因するはんだ割れなどの不具合を未然に防止することができる。
【００４０】
前述のようにステップｓ２でフレキシブル基板４を仮固定する前に、フレキシブル基板４を、装着部位の形状に倣う形状に塑性変形している。言い換えれば、フレキシブル基板４は、外力が作用しない自然状態で装着部位の形状に倣う形状に形成されている。これによってフレキシブル基板４を、自然状態から変位させることなく、換言すれば外力を作用させることなく装着部位に沿って仮固定することができる。したがってフレキシブル基板４が、装着部位から離反する方向へ不所望に変位することを確実に防止することが可能となる。
【００４１】
またフレキシブル基板４に外力を作用させなくてもこのフレキシブル基板４を仮固定できるので、このフレキシブル基板４に実装される集積回路３に応力がかからなくなる。しかも締結部品および両面テープなどの粘着性のあるものを用いる従来技術と比べて、フレキシブル基板４を簡単に装着部位に仮固定することができる。また本実施の形態によれば、締結部品および両面テープが不要となるので、従来技術と比べて製作コストの低減を図ることができる。
【００４２】
またシャーシ２には、フレキシブル基板４の一部を、一対の突起部１０によって、シャーシ２の一表面部の配置位置に正確に位置決めすることができる。したがってたとえば小スペースでの回路部品およびランド部の他部品との干渉防止を図ることができる。本実施の形態においては、位置決め手段として、シャーシに形成される突起部が適用されているが、必ずしもこの形態に限定されるものではない。たとえばフレキシブル基板の第１領域部分に、シャーシの一表面部に臨む突出部を形成しておき、シャーシの一表面部に、前記突出部を係止可能な凹所を形成しておいてもよい。このようなフレキシブル基板に形成される突出部と、この突出部に対応してシャーシに形成される凹所とによっても、フレキシブル基板の一部を、シャーシの一表面部の配置位置に正確に位置決めすることができる。
【００４３】
本実施の形態においては、特に、フレキシブル基板をシャーシに仮固定する方法について説明しているが、必ずしもこの仮固定する方法に限定されるものではない。フレキシブル基板をシャーシに本固定する方法を、フレキシブル基板の装着方法として適用することも可能である。
【００４４】
本実施の形態においては、シャーシを金型によって一体成形しているが、必ずしもこの形態に限定されるものではない。たとえばシャーシを機械加工によって加工することも可能である。シャーシを金型によって一体成形した後、たとえば機械加工などの後加工を行うことも可能である。また第１および第２係止片の少なくともいずれか１つを、ねじなどの締結具または溶接などによってシャーシに別体に設けてもよい。さらに係止手段は、前述の第１および第２係止片以外に様々な形状のものを適用可能である。たとえば係止手段として子ねじ、ピンなどの棒状の部材を適用してもよい。その他、前記実施形態に、特許請求の範囲を逸脱しない範囲において種々の部分的変更を行う場合もある。
【００４５】
【発明の効果】
請求項１記載の本発明によれば、フレキシブル基板は、外力が作用しない自然状態で装着部位の形状に倣う形状に形成されているので、フレキシブル基板を、自然状態から変位させることなく、換言すれば外力を作用させることなく装着部位に沿って装着することができる。したがってフレキシブル基板が、装着部位から離反する方向へ不所望に変位することを確実に防止することが可能となる。
【００４６】
またフレキシブル基板に外力を作用させなくてもこのフレキシブル基板を装着できるので、前記フレキシブル基板に実装される部品に応力がかからなくなる。しかも締結部品および両面テープなどの粘着性のあるものを用いる従来技術と比べて、フレキシブル基板を簡単に装着部位に装着することができる。また締結部品および両面テープが不要となるので、製作コストの低減を図ることができる。
【００４７】
請求項２記載の本発明によれば、特に第１工程でフレキシブル基板を装着部位に倣う形状に塑性変形しているので、第２工程でフレキシブル基板を装着するとき、フレキシブル基板に外力を作用させることなく装着部位に沿って装着することができる。したがってフレキシブル基板が、装着部位から離反する方向へ不所望に変位することを確実に防止することが可能となる。
【００４８】
またフレキシブル基板に外力を作用させなくてもこのフレキシブル基板を装着できるので、前記フレキシブル基板に実装される部品に応力がかからなくなる。しかも締結部品および両面テープなどの粘着性のあるものを用いる従来技術と比べて、フレキシブル基板を簡単に装着部位に装着することができる。また締結部品および両面テープが不要となるので、製作コストの低減を図ることができる。
【００４９】
請求項３記載の本発明によれば、フレキシブル基板の一部を基体に装着し、フレキシブル基板に外力が作用しない自然状態で、配置空間に配置されるフレキシブル基板の少なくとも一側縁部を、係止手段によって基体と反対側から係止する。したがってフレキシブル基板が、基体から離反する方向へ不所望に変位することを防止できるとともに、フレキシブル基板を装着する作業能率を向上することができる。またフレキシブル基板は、外力が作用しない自然状態で配置空間に配置されるので、前記フレキシブル基板に実装される部品に応力がかからなくなる。
【００５０】
請求項４記載の本発明によれば、位置決め手段によって、フレキシブル基板の一部を、基体の配置位置に正確に位置決めすることができる。したがってたとえば小スペースでの回路部品およびランド部の他部品との干渉防止を図ることができる。
【図面の簡単な説明】
【図１】本発明の実施形態に係るフレキシブル基板およびシャーシの斜視図である。
【図２】フレキシブル基板およびシャーシの要部の拡大斜視図である。
【図３】フレキシブル基板およびシャーシの要部の拡大斜視図である。
【図４】塑性変形する前のフレキシブル基板をその厚み方向一方に見た平面図である。
【図５】フレキシブル基板の装着方法を段階的に示すフローチャートである。
【図６】シャーシを厚み方向一方に見た平面図である。
【図７】図６のＡ−Ａ線端面図である。
【図８】図６のＢ−Ｂ線端面図である。
【図９】図６のＣ−Ｃ線端面図である。
【図１０】図６のＤ−Ｄ線端面図である。
【符号の説明】
２  シャーシ
４  フレキシブル基板
４ａ  第１領域部分
４ｂ  一側縁部
４ｃ  第２領域部分
７  第１の配置空間
８，９  第１係止片
１０  突起部
１２  補強板
１３  一側面部
１４  第２の配置空間
１５，１６  第２係止片
【図１】
2005005610.tif 000003
【図２】
2005005610.tif 000004
【図３】
2005005610.tif 000005
【図４】
2005005610.tif 000006
【図５】
2005005610.tif 000007
【図６】
2005005610.tif 000008
【図７】
2005005610.tif 000009
【図８】
2005005610.tif 000010
【図９】
2005005610.tif 000011
【図１０】
2005005610.tif 000012